(57)【要約】【課題】  不正規な写真フイルムの再装填を防止する。【解決手段】  パトローネ本体２６は、底部側の外径が１３５タイプの規格内とされ上部側の外径が底部側よりも小さくされている。パトローネ室２４は、パトローネ本体２６のサイズに応じて形成されており、底部の外径はパトローネ本体２６の底部側の外径と同じまたは僅かに大きく、それよりも上方の外径はパトローネ本体２６の底部側の外径よりも小さくされ、パトローネ本体２６の上部の外径と同じまたは僅かに大きくされている。【選択図】        図５
2004240406.tif 000002
【特許請求の範囲】
【請求項１】
未露光の写真フイルムがフイルム室に、撮影済みの写真フイルムを収納するパトローネがパトローネ室にそれぞれ製造時に装填されるレンズ付きフイルムユニットにおいて、
写真フイルムを収納する略円柱形状のパトローネ本体の一方の端部が１３５タイプの写真フイルムパトローネの規格内であり、このパトローネ本体の他方の端部の外径が一方の端部の外径よりも小さいパトローネが用いられ、前記パトローネ本体の一方の端部に対応する前記パトローネ室の内径をＤ１，他方の端部に対応する前記パトローネ室の内径をＤ２とし、またパトローネ本体の一方の端部の外径をｄ１，他方の端部の外径をｄ２としたときに「ｄ２≦Ｄ２＜ｄ１≦Ｄ１」を満たすことを特徴とするレンズ付きフイルムユニット。
【請求項２】
撮影済みの写真フイルムを収納したパトローネを抜き出すためにパトローネ室の底部を開放する取出し蓋を備え、前記パトローネ本体の一方の端部に前記パトローネ室の底部が対応し、パトローネ室の底部の内径がＤ１とされるとともに、この底部よりも上方の内径がＤ２とされていることを特徴とする請求項１記載のレンズ付きフイルムユニット。
【請求項３】
前記パトローネ室の内径Ｄ２は、「２４．９０ｍｍ≦Ｄ２≦２５．１０ｍｍ」を満たすことを特徴とする請求項１または２記載のレンズ付きフイルムユニット。
【請求項４】
前記パトローネ室の内径Ｄ２は、「２４．６０ｍｍ≦Ｄ２≦２４．９０ｍｍ」を満たすことを特徴とする請求項１または２記載のレンズ付きフイルムユニット。
【請求項５】
前記パトローネは、写真フイルムが巻き付けられるスプールに設けられた一対のフランジの厚みが０．３ｍｍ以下とされて、写真フイルムを収納するパトローネ本体の高さが１３５タイプのパトローネ本体よりも小さくされていることを特徴とする請求項１記載のレンズ付きフイルムユニット。
【請求項６】
未露光の写真フイルムがフイルム室に、撮影済みの写真フイルムを収納するパトローネがパトローネ室にそれぞれ製造時に装填されたレンズ付きフイルムユニットにおいて、
写真フイルムを収納する略円柱形状のパトローネ本体の一方の端部が１３５タイプの写真フイルムパトローネの規格内のパトローネが用いられ、写真フイルムを収納する略円柱形状のパトローネ本体の一方の端部の外径をｄ１，他方の端部の外径をｄ２とし、このパトローネ本体の一方の端部に対応する前記パトローネ室の内径をＤ１，他方の端部に対応する前記パトローネ室の内径をＤ２としたときに、「ｄ２≦Ｄ２」，「ｄ１≦Ｄ１」，「Ｄ２＜Ｄ１」，「２４．９０ｍｍ≦Ｄ２≦２５．１０ｍｍ」の各条件を同時に満たすとともに、前記パトローネ室のパトローネ本体の一方の端部側にパトローネ室からパトローネを取り出すための蓋が設けられていることを特徴とするレンズ付きフイルムユニット。
【請求項７】
未露光の写真フイルムがフイルム室に、撮影済みの写真フイルムを収納するパトローネがパトローネ室にそれぞれ製造時に装填されたレンズ付きフイルムユニットにおいて、
写真フイルムを収納する略円柱形状のパトローネ本体の一方の端部が１３５タイプの写真フイルムパトローネの規格内のパトローネが用いられ、写真フイルムを収納する略円柱形状のパトローネ本体の一方の端部の外径をｄ１，他方の端部の外径をｄ２とし、このパトローネ本体の一方の端部に対応する前記パトローネ室の内径をＤ１，他方の端部に対応する前記パトローネ室の内径をＤ２としたときに、「ｄ２≦Ｄ２」，「ｄ１≦Ｄ１」，「Ｄ２＜Ｄ１」，「２４．６０ｍｍ≦Ｄ２≦２４．９０ｍｍ」の各条件を同時に満たすとともに、前記パトローネ室のパトローネ本体の一方の端部側にパトローネ室からパトローネを取り出すための蓋が設けられていることを特徴とするレンズ付きフイルムユニット。
【請求項８】
前記パトローネ本体は、絞り加工によりカップ状に形成された筒部材と、この筒部材の開口に組み付けられた前記一方の端部側の蓋部材とからなることを特徴とする請求項１ないし７のいずれか１項に記載のレンズ付きフイルムユニット。
【請求項９】
前記パトローネ本体は、略円筒状の本体筒と、この本体筒の両端に設けられた一方及び他方の端部側の各蓋部材とからなり、前記本体筒と他方の端部側の蓋部材とがインサート成形されていることを特徴とする請求項１ないし７のいずれか１項に記載のレンズ付きフイルムユニット。
【請求項１０】
前記パトローネ本体は、他方の端部の外径と両端部の間の外径とが同じにされていることを特徴とする請求項１ないし９のいずれか１項に記載のレンズ付きフイルムユニット。
【請求項１１】
前記パトローネ本体は、両端部の間の外径が１３５タイプの写真フイルムパトローネの規格内であることを特徴とする請求項１ないし９のいずれか１項に記載のレンズ付きフイルムユニット。
【請求項１２】
未露光の写真フイルムがフイルム室に、撮影済みの写真フイルムを収納するパトローネがパトローネ室にそれぞれ製造時に装填されるレンズ付きフイルムユニットにおいて、
前記パトローネ室の少なくとも一部の内径が２４．９０ｍｍ〜２５．１０ｍｍの範囲内であることを特徴とするレンズ付きフイルムユニット。
【請求項１３】
未露光の写真フイルムがフイルム室に、撮影済みの写真フイルムを収納するパトローネがパトローネ室にそれぞれ製造時に装填されるレンズ付きフイルムユニットにおいて、
前記パトローネ室の少なくとも一部の内径が２４．６０ｍｍ〜２４．９０ｍｍの範囲内であることを特徴とするレンズ付きフイルムユニット。
【請求項１４】
写真フイルムが巻き付けられるスプールを略円筒状のパトローネ本体に内蔵した写真フイルム用パトローネにおいて、
パトローネ本体の一方の端部の外径が１３５タイプの写真フイルムパトローネの規格内であり、他方の端部の外径が２４．６０ｍｍ〜２４．９０ｍｍの範囲内であることを特徴とする写真フイルム用パトローネ。
【請求項１５】
前記パトローネ本体は、他方の端部の外径と各端部の間の外径とが同じにされていることを特徴とする請求項１４記載の写真フイルム用パトローネ。
【請求項１６】
前記パトローネ本体は、両端部の間の外径が１３５タイプの写真フイルムパトローネの規格内であることを特徴とする請求項１４記載の写真フイルム用パトローネ。
【請求項１７】
前記パトローネ本体は、絞り加工によってカップ状に形成された筒部材と、この筒部材の開口端に組つけられる蓋部材とからなることを特徴とする請求項１４ないし１６のいずれか１項に記載の写真フイルム用パトローネ。
【請求項１８】
写真フイルムが巻き付けられるスプールを略円筒状のパトローネ本体に内蔵した写真フイルム用パトローネにおいて、
前記パトローネ本体は、絞り加工によってカップ状に形成された筒部材と、この筒部材の開口端に組つけられる蓋部材とからなり、カップ状の端部の外径が蓋部材側の端部の外径よりも小さくされていることを特徴とする写真フイルム用パトローネ。
【発明の詳細な説明】
【技術分野】
【０００１】
本発明は、レンズ付きフイルムユニット及び写真フイルム用パトローネに関するものである。
【背景技術】
【０００２】
撮影機構を内蔵したユニット本体に未露光の写真フイルムと、撮影済の写真フイルムを収納するパトローネが予め装填されたレンズ付きフイルムユニットが各種販売されている。このレンズ付きフイルムユニットは、シャッタ機構やフイルム巻上げ機構等の撮影機構が簡略化されて安価であること、撮影操作が簡単であること等を特徴としており、手軽に使用できることから広く普及している。このようなレンズ付きフイルムユニットでは、使用済みのものが製造メーカーによって回収され、構成部品ごとにリユース、あるいは原材料としてリサイクルされている。
【０００３】
使用済みのレンズ付きフイルムユニットの不正規な再利用を防止するために、レンズ付きフイルムユニットには各種の工夫がなされており、また各種の手法が提案されている。例えば、規格化された１３５タイプのパトローネよりも、径を小さくした細いパトローネを用い、レンズ付きフイルムユニットのパトローネ室を小さくしたものが知られている。これによれば、市販されている１３５タイプのパトローネを使用済みとなったレンズ付きフイルムユニットのパトローネ室に装填することができないので、不正規な再利用を防止することができる。
【発明の開示】
【発明が解決しようとする課題】
【０００４】
ところで、上記のような細いパトローネはフイルム現像装置に直接にセットすることができなかったり、直接にセットできたとしてもパトローネのフイルム送出口とフイルム現像装置側のフイルム挿入口との位置がずれたりしてフイルムの送出に支障をきたすため、現像作業を煩雑にしてしまうという問題があった。
【０００５】
本発明は、上記課題を解消するためになされたもので、市販されているパトローネを再装填することによる不正規な再利用を防止できるレンズ付きフイルムユニット、及び現像作業に支障をきたさない写真フイルム用パトローネを提供することを目的とする。
【課題を解決するための手段】
【０００６】
上記目的を達成するために、請求項１記載のレンズ付きフイルムユニットでは、写真フイルムを収納する略円柱形状のパトローネ本体の一方の端部が１３５タイプの写真フイルムパトローネの規格内であり、このパトローネ本体の他方の端部の外径が一方の端部の外径よりも小さいパトローネが用いられ、前記パトローネ本体の一方の端部に対応する前記パトローネ室の内径をＤ１，他方の端部に対応する前記パトローネ室の内径をＤ２とし、またパトローネ本体の一方の端部の外径をｄ１，他方の端部の外径をｄ２としたときに「ｄ２≦Ｄ２＜ｄ１≦Ｄ１」を満たすものである。
【０００７】
請求項２記載のレンズ付きフイルムユニットでは、撮影済みの写真フイルムを収納したパトローネを抜き出すためにパトローネ室の底部を開放する取出し蓋を備え、前記パトローネ本体の一方の端部に前記パトローネ室の底部が対応し、パトローネ室の底部の内径がＤ１とされるとともに、この底部よりも上方の内径がＤ２としたものである。
【０００８】
請求項３記載のレンズ付きフイルムユニットでは、パトローネ室の内径Ｄ２が、「２４．９０ｍｍ≦Ｄ２≦２５．１０ｍｍ」を満たすようにしたものである。
【０００９】
請求項４記載のレンズ付きフイルムユニットでは、パトローネ室の内径Ｄ２が、「２４．６０ｍｍ≦Ｄ２≦２４．９０ｍｍ」を満たすようにしたものである。
【００１０】
請求項５記載のレンズ付きフイルムユニットでは、写真フイルムが巻き付けられるスプールに設けられた一対のフランジの厚みが０．３ｍｍ以下とされて、写真フイルムを収納するパトローネ本体の高さを１３５タイプのパトローネ本体よりも小さくしたものである。
【００１１】
請求項６記載のレンズ付きフイルムユニットでは、写真フイルムを収納する略円柱形状のパトローネ本体の一方の端部が１３５タイプの写真フイルムパトローネの規格内のパトローネが用いられ、写真フイルムを収納する略円柱形状のパトローネ本体の一方の端部の外径をｄ１，他方の端部の外径をｄ２とし、このパトローネ本体の一方の端部に対応する前記パトローネ室の内径をＤ１，他方の端部に対応する前記パトローネ室の内径をＤ２としたときに、「ｄ２≦Ｄ２」，「ｄ１≦Ｄ１」，「Ｄ２＜Ｄ１」，「２４．９０ｍｍ≦Ｄ２≦２５．１０ｍｍ」の各条件を同時に満たすとともに、前記パトローネ室のパトローネ本体の一方の端部側にパトローネ室からパトローネを取り出すための蓋を設けたものである。
【００１２】
請求項７記載のレンズ付きフイルムユニットでは、写真フイルムを収納する略円柱形状のパトローネ本体の一方の端部が１３５タイプの写真フイルムパトローネの規格内のパトローネが用いられ、写真フイルムを収納する略円柱形状のパトローネ本体の一方の端部の外径をｄ１，他方の端部の外径をｄ２とし、このパトローネ本体の一方の端部に対応する前記パトローネ室の内径をＤ１，他方の端部に対応する前記パトローネ室の内径をＤ２としたときに、「ｄ２≦Ｄ２」，「ｄ１≦Ｄ１」，「Ｄ２＜Ｄ１」，「２４．６０ｍｍ≦Ｄ２≦２４．９０ｍｍ」の各条件を同時に満たすとともに、前記パトローネ室のパトローネ本体の一方の端部側にパトローネ室からパトローネを取り出すための蓋を設けたものである。
【００１３】
請求項８記載のレンズ付きフイルムユニットでは、パトローネ本体を、絞り加工によりカップ状に形成された筒部材と、この筒部材の開口に組み付けられた前記一方の端部側の蓋部材とから構成したものである。
【００１４】
請求項９記載のレンズ付きフイルムユニットでは、パトローネ本体を、略円筒状の本体筒と、この本体筒の両端に設けられた一方及び他方の端部側の各蓋部材とからなり、前記本体筒と他方の端部側の蓋部材とをインサート成形したものである。
【００１５】
請求項１０記載のレンズ付きフイルムユニットでは、パトローネ本体の他方の端部の外径と両端部の間の外径とを同じにしたものであある。
【００１６】
請求項１１記載のレンズ付きフイルムユニットでは、パトローネ本体の両端部の間の外径を１３５タイプの写真フイルムパトローネの規格内としたものである。
【００１７】
請求項１２記載のレンズ付きフイルムユニットでは、パトローネ室の少なくとも一部の内径を２４．９０ｍｍ〜２５．１０ｍｍの範囲内としたものである。
【００１８】
請求項１３記載のレンズ付きフイルムユニットでは、パトローネ室の少なくとも一部の内径を２４．６０ｍｍ〜２４．９０ｍｍの範囲内としたものである。
【００１９】
請求項１４記載の写真フイルム用パトローネでは、パトローネ本体の一方の端部の外径を１３５タイプの写真フイルムパトローネの規格内とし、他方の端部の外径を２４．６０ｍｍ〜２４．９０ｍｍの範囲内としたものである。
【００２０】
請求項１５記載の写真フイルム用パトローネでは、パトローネ本体を、その他方の端部の外径と各端部の間の外径とが同じにしたものである。
【００２１】
請求項１６記載の写真フイルム用パトローネでは、パトローネ本体を、その両端部の間の外径を１３５タイプの写真フイルムパトローネの規格内としたものである。
【００２２】
請求項１７記載の写真フイルム用パトローネでは、パトローネ本体を、絞り加工によってカップ状に形成された筒部材と、この筒部材の開口端に組つけられる蓋部材とから構成したものである。
【００２３】
請求項１８記載の写真フイルム用パトローネでは、パトローネ本体は、絞り加工によってカップ状に形成された筒部材と、この筒部材の開口端に組つけられる蓋部材とからなり、カップ状の端部の外径が蓋部材側の端部の外径よりも小さくしたものである。
【発明の効果】
【００２４】
本発明によれば、市販されているパトローネの多くを再装填することができなくなり、レンズ付きフイルムユニットの不正規な再利用を防止できるとともに、製造時に装填されるパトローネの外径が規格内、もしくは実用上問題のない程度のサイズとすることができるので、パトローネを支障なく現像装置に直接にセットすることができる。
【発明を実施するための最良の形態】
【００２５】
図１に本発明を実施したレンズ付きフイルムユニットの外観を示す。レンズ付きフイルムユニットは、ユニット本体２と、このユニット本体２を覆う外装体３とから構成されており、ユニット本体２にはシャッタ機構，フイルム巻上げ機構，ストロボ装置等の各種撮影機構が内蔵されている。また、ユニット本体２には、未露光の写真フイルムと撮影済の写真フイルムを収納するパトローネとからなるフイルムパトローネが製造時に装填されている。
【００２６】
ユニット本体２の前面には、撮影レンズ４，ファインダ５の対物側窓，ストロボ発光部７，ストロボ操作部材８が設けられている。また、ユニット本体２の上面には、レリーズボタン９，残り撮影可能コマ数を表示するカウンタ窓１０，ストロボ発光の準備が完了したことを表示する充電完了表示窓１１が設けられている。さらに、背面には、１コマの撮影ごとに回転操作される巻上げノブ１２の一部が露呈されている。外装体３は、それに設けた開口から撮影レンズ４，ファインダ５，カウンタ窓１０等を外部に露呈させている。
【００２７】
これまでのレンズ付きフイルムユニットと同様に、巻上げノブ１２を回転操作することでフイルム巻上げが行われ、レリーズボタン９の押圧操作で撮影が行われる。充電が完了した状態でレリーズボタン９を押圧操作すると、撮影に同期してストロボ発光部７から被写体に向けてストロボ光が照射される。ストロボ発光のための充電動作は、ストロボ操作部材８を押圧することで行われ、充電完了表示窓１１を介してランプの点灯を確認することで充電完了を知ることができる。
【００２８】
図２に示すように、ユニット本体２は、本体基部１５，前カバー１６，後カバー１７等から構成されており、このユニット本体２に１３５タイプの写真フイルム２０と、詳細を後述するパトローネ２１が装填されている。
【００２９】
本体基部１５の中央部に撮影レンズ４からの光を規制して、写真フイルム２０上の撮影コマのサイズを確定するアパーチャ２２が形成されている。このアパーチャ２２を挟んだ両側にフイルム室２３とパトローネ室２４とが設けられている。フイルム室２３にはパトローネ２１から引き出された写真フイルム２０がロール状に巻かれた状態で装填され、パトローネ室２４にはパトローネ２１が装填される。
【００３０】
巻上げノブ１２は、パトローネ室２４の上部に回転自在に配されており、その下部に一体に設けられた軸１２ａがパトローネ２１のスプール２５の端部に係合する。これにより、巻上げノブ１２を回転操作すると、撮影済の写真フイルム２０の部分がパトローネ２１内に巻き上げられるとともに、未露光の部分がアパーチャ２２の背後にセットされる。
【００３１】
本体基部１５の前面側に、レリーズボタン９の押圧操作に応答してシャッタ羽根を駆動するシャッタ機構や撮影可能な残りコマ数を表示するフイルムカウンタ機構等を構成する各種部品、撮影レンズ４，ファインダ５のレンズ，ストロボ装置等が組み付けられており、これらを覆うように前カバー１６が組み付けられる。
【００３２】
後カバー１７は、写真フイルム２０とパトローネ２１とを収納した本体基部１５の背面側を覆う。この後カバー１７には、底蓋１７ａ，１７ｂが形成されている。これらの底蓋１７ａ，１７ｂは、フイルム室２３とパトローネ室２４の底部を光密に閉じる。底蓋１７ｂは、パトローネ２１を取り出すための取出し蓋となっており、撮影済の写真フイルム２０を収納したパトローネ２１を取り出す際に開かれる。パトローネ２１を取り出す際には、底蓋１７ｂを開放した状態とし、撮影済みの写真フイルム２０を収納したパトローネ２１を底部方向にスライドすることでパトローネ室２４から引き抜く。
【００３３】
パトローネ２１の外観を図３に、断面を図４にそれぞれ示す。パトローネ２１は、写真フイルム２０が巻き付けられるスプール２５と、このスプール２５に巻き付けられた写真フイルム２０を収納する中空の略円柱形状のパトローネ本体２６とから構成されている。パトローネ本体２６は、上蓋２７，本体筒２８，底蓋２９から構成されている。本体筒２８は円筒状に丸められた金属薄板からなり、その両端を折り曲げることでフイルム送出口３１が形成されている。フイルム送出口３１の内側には、遮光用のテレンプ（図示省略）が設けられている。
【００３４】
本体筒２８は、その上部開口が上蓋２７によって、底部開口が底蓋２９によってそれぞれ塞がれている。上蓋２７，底蓋２９は、中央部に開口を有したドーナッツ状の円板であり、それぞれ周縁に嵌合溝２７ａ，２９ａが形成されている。上蓋２７，底蓋２９は、嵌合溝２７ａ，２９ａを上部開口端２８ａ，底部開口端２８ｂに嵌め込むことで本体筒２８に組み付けられ、カシメられることで抜け止めされる。
【００３５】
スプール２５は、スプール軸３２と、写真フイルム２０の幅とほぼ同じ間隔で配された一対の遮光フランジ３３とから構成されている。スプール２５は、スプール軸３２の両端が上蓋２７及び底蓋２９の開口に通されており、回動自在にされている。スプール軸３２の上端３２ａは、パトローネ本体２６の上面（上蓋）より突出しており、これが巻上げノブ１２の軸１２ａと係合する。一対の遮光フランジ３３の間のスプール軸３２の部分に写真フイルム２０の一端が係止される。これにより、巻上げノブ１２を回転操作して、スプール２５を回転させると写真フイルム２０がスプール軸３２に巻き付けられ、パトローネ本体２６内に収納される。
【００３６】
図５にパトローネ２１の外径とパトローネ室２４の内径とを示す。パトローネ２１のパトローネ本体２６は、その底部側の端部外径（以下、底部外径という）ｄ１と中央筒部の外径（以下、筒部外径という）ｄ３は、１３５タイプのパトローネの規格の寸法範囲内とされており、底部外径ｄ１は底蓋２９が組み付けられている分だけ筒部外径ｄ３よりも大きくなっている。
【００３７】
パトローネ本体２６の上部側の端部外径（以下、上部外径という）ｄ２は、上記の底部外径ｄ１より小さくされている。図４に示されるように、上部開口端２８ａがその径を小さくするように内側に絞り込まれ、その径に応じて小さくされた上蓋２７が嵌め込まれることによって、上部外径ｄ２が底部外径ｄ１より小さくされている。なお、上部外径ｄ２は、底部外径ｄ１よりも小さければ、筒部外径ｄ３との大小関係は問わないが、筒部外径ｄ３と同等もしくは筒部外径ｄ３よりも小さい方が望ましい。
【００３８】
パトローネ室２４は、パトローネ本体２６の底部側端部に対応したパトローネ室底部２４ａの内径（以下，底部内径という）Ｄ１よりも、その上部側端部に対応したパトローネ室上部２４ｂの内径（以下、上部内径）Ｄ２が小さくされ、「ｄ２≦Ｄ２＜ｄ１≦Ｄ１」の条件を満たすようにされている。
【００３９】
底部内径Ｄ１は、パトローネ本体２６の底部側端部が収納可能なように底部外径ｄ１と同じあるいは僅かに大きくすればよい。一方の上部内径Ｄ２は、パトローネ本体２６の上部側端部が収納可能なように上部外径ｄ２と同じあるいは僅かに大きくすればよいが、底部外径ｄ１よりも小さくされる。
【００４０】
また、パトローネ本体２６の中央筒部に対応するパトローネ室２４のパトローネ室中央部２４ｃの内径（以下、中央部内径という）Ｄ３は、筒部外径ｄ３以上であればよいが、この例のようにパトローネ室２４の底部からパトローネ２１をスライドさせて取り出す場合には、パトローネ本体２６の上部側端部が通過可能なように、中央部内径Ｄ３を上部外径ｄ２以上とする必要がある。また、この例では、上部外径ｄ２が筒部外径ｄ３より小さいので、中央部内径Ｄ３よりも上部内径Ｄ２を小さくしてあるが、「ｄ２≦Ｄ２＜ｄ１≦Ｄ１」の条件を満たすのであれば、上部内径Ｄ２が中央部内径Ｄ３以上あってもよい。
【００４１】
上記のようにパトローネ２１の外径と、パトローネ室２４の内径とを決めることにより、パトローネ室２４には上記のパトローネ２１の装填が可能であるが、市販されている１３５タイプのうち、上部外径ｄ２がパトローネ室２４の上部内径Ｄ２よりも大きいものは装填することができない。これにより、市販されているフイルムパトローネを再装填しての使用済みのレンズ付きフイルムユニットの不正規な再利用が防止される。
【００４２】
また、パトローネ本体２６は底部側端部よりも上部側端部の径が小さいから、撮影済みの写真フイルム２０を収納したパトローネ２１をユニット本体２から取り出す際に、パトローネ２１をパトローネ室２４から底面方向にスライドさせて引き抜くことができる。
【００４３】
さらに、上記のようにサイズが決められたパトローネ２１は、１３５タイプの写真フイルム用パトローネとほとんどサイズが変わらないので、現像所などの現像装置にパトローネ２１をそのまま装着することができる。
【００４４】
図６は、絞り加工により作製したパトローネの例を示すものである。この例におけるパトローネ４１は、スプール２５と、パトローネ本体４２とから構成され、パトローネ本体４２は、本体筒４３と底蓋２９との２部品とから構成されている。なお、上記の実施形態と実質的に同じ部材には同一の符号を付してある。
【００４５】
本体筒４３は、カップ状に絞り加工された円筒部材の側面にフイルム送出口４４，端面４５にスプール２５の軸の端部を突出させる開口などを形成することにより作製される。この本体筒４３に、フイルム送出口４４のテレンプ、スプール２５及びこれに巻き付けられた写真フイルム２０を組み込んでから、本体筒４３の底部開口端に底蓋２９を嵌め込むことでパトローネ４１が完成する。なお、フイルム送出口４４を樹脂等で作製してもよく、また本体筒４３全体を樹脂等で作製することもできる。
【００４６】
図７に示すように、上記実施形態と同じくパトローネ本体４２の底部外径ｄ１及び筒部外径ｄ３は、１３５タイプのパトローネの規格内であり、底蓋２９が組み付けられている分だけ筒部外径ｄ３よりも底部外径ｄ１が大きくなっている。また、上部外径ｄ２は、底部外径ｄ１よりも小さくされている。そして、パトローネ室２４の底部内径Ｄ１，上部内径Ｄ２とは、「ｄ２≦Ｄ２＜ｄ１≦Ｄ１」の関係を満たすようにされている。なお、この例では、上部外径ｄ２は、筒部外径ｄ３と同じ径になっているが、筒部外径ｄ３よりも小さくしても、また大きくしてもよい。
【００４７】
上記のように、パトローネ本体４２の本体筒２８を絞り加工により作製すると、パトローネ本体４２の上側の端面４５を本体筒４３と一体に成形することができるため、上蓋を嵌め込む場合に比べて上端の外径をより小さくできるとともに、部品点数を減らすことができる。
【００４８】
上記実施形態では、パトローネ本体の上側の端面を本体筒と一体に成形して設けたが、図８に示すように、本体筒５５に、インサート成形によって樹脂製の端面（上蓋）５６を形成してもよい。
【００４９】
上記各実施形態では、底部外径ｄ１が１３５タイプの規格内であるから、「ｄ２≦Ｄ２＜ｄ１≦Ｄ１」の関係を満たすときに、上部内径Ｄ２は１３５タイプの規格におけるパトローネの外径の最大値Ａｍａｘよりも小さくなる。ここで、上部内径Ｄ２を小さくするほど、より多くの市販されているパトローネの装填を阻止することができ、再装填の防止効果を向上させることができるが、レンズ付きフイルムユニットの製造時に装填されるパトローネ２１の上部外径ｄ２も上部内径Ｄ２に応じて小さくする必要がある。そして、製造時に装填するパトローネ２１の上部外径ｄ２を規格の範囲を超えて小さくすることは、そのパトローネ２１を現像装置に直接にセットできなくなる可能性が高くなる。
【００５０】
このため、上部内径Ｄ２をパトローネの端部外径の規格範囲の中央値以下、最小値以上の範囲で決定するのが好ましく、パトローネ２１の上部外径ｄ２を上部内径Ｄ２以下パトローネの端部外径の規格範囲の最小値以上の範囲とするのが好ましい。１３５タイプの規格におけるパトローネの端部外径は、最大値が２５．３０ｍｍ，最小値が２４．９０ｍｍであり、中央値は２５．１０ｍｍとなるから、上部内径Ｄ２について「２４．９０ｍｍ≦Ｄ２≦２５．１０ｍｍ」の条件を満たすのが好ましい。
【００５１】
また、実質的に問題のない範囲でパトローネの上部外径ｄ２を規格の範囲より小さくし、これにあわせてパトローネ室の上部内径Ｄ２を小さくし、市販されているフイルムパトローネが再装填できないようにするのも好ましい。
【００５２】
実際に市販されているフイルムパトローネについて、そのパトローネ本体の端部外径（底部外径と上部外径）と筒部外径について測定したところ、その範囲と筒部外径の平均値Ｂａ，筒部外径の標準偏差σは、次のようになった。なお、測定には５個の市販のパトローネをサンプルとし、１個のパトローネについて端部外径と筒部外径とをそれぞれ４カ所ずつ測定した。
端部外径：２５．０８〜２５．２２ｍｍ
筒部外径：２４．００〜２４．２７ｍｍ
平均値Ｂａ＝２４．１６８ｍｍ
標準偏差σ＝０．０７９ｍｍ
【００５３】
市販されているパトローネの筒部外径が正規分布に従うとして、「Ｂａ−５σ≦ｄ２≦Ｂａ＋５σ」とし、また例えば図６に示されるパトローネのように、パトローネの上部外径ｄ２が筒部外径ｄ３と同じになることを考慮し、市販されているパトローネの筒部外径に基づいて上部外径ｄ２の範囲を決定すれば、上部外径ｄ２について、次の式（１）が得られる。また、底部外径ｄ１については、１３５タイプのパトローネの規格を満たすようにすると式（２）のようになる。
２３．７７ｍｍ≦ｄ２≦２４．５７ｍｍ・・・（１）
２４．９０ｍｍ≦ｄ１≦２５．３０ｍｍ・・・（２）
【００５４】
「ｄ２≦Ｄ２＜ｄ１≦Ｄ１」の条件と上記式（１）とから、上部内径Ｄ２について次の式（３）が得られる。また、「ｄ２≦Ｄ２＜ｄ１≦Ｄ１」の関係と条件式（３）とから、底部内径Ｄ１について次の式（４）が得られる。
２４．６０ｍｍ≦Ｄ２＜２４．９０ｍｍ・・・（３）
２５．３０ｍｍ≦Ｄ１・・・・・・・・・・・（４）
【００５５】
したがって、上記式（３），（４）を満たすようにパトローネ室２４を形成すれば、ほとんどの市販のパトローネを再装填することができなくなる。なお、上部内径Ｄ２の下限値「２４．６０ｍｍ」は、「Ｂａ＋５σ」（＝２４．５７ｍｍ）に基づいて決定したものである。また、底部内径Ｄ１の上限は、製品のバラツキ、設計上の制限などから任意に決定することができる。
【００５６】
また、式（３），（４）を満たすパトローネ室２４を持つレンズ付きフイルムユニットには、底部外径ｄ１，上部外径ｄ２について上記式（１），（２）を満たすパトローネを装填すればよいが、ここで、上記のように上部内径Ｄ２の下限値を「２４．６０ｍｍ」としているから、上部外径ｄ２は、実際には「２３．７７ｍｍ≦ｄ２≦２４．６０ｍｍ」を満たせばよい。式（１）を満たすときに、上部外径ｄ２は１３５タイプの規格範囲よりも小さくなるが、上部外径ｄ２がこの程度のであれば実用上問題なく、パトローネを現像装置に直接にセットすることができ、セットした状態でフイルムの送り出しを行うことができる。
【００５７】
なお、底部外径ｄ１，上部外径ｄ２の大小関係は「ｄ２＜ｄ１」であり、式（２）より「ｄ２≦２４．９０ｍｍ」であるが、「ｄ２≦Ｄ２＜ｄ１≦Ｄ１」の条件と式（３）とにより、次の式（５）を満たすのがより望ましい。
ｄ２≦２４．６０ｍｍ・・・・・・・・・・・（５）
【００５８】
上記の各例では、「ｄ２≦Ｄ２＜ｄ１≦Ｄ１」の条件を満たしながら、上部内径Ｄ２について「２４．９０ｍｍ≦Ｄ２≦２５．１０ｍｍ」あるいは「２４．６０ｍｍ≦Ｄ２＜２４．９０ｍｍ」の条件を満たすようにしたが、「ｄ２≦Ｄ２」，「ｄ１≦Ｄ１」，「Ｄ２＜Ｄ１」の各条件を同時に満たしながら、上部内径Ｄ２について「２４．９０ｍｍ≦Ｄ２≦２５．１０ｍｍ」あるいは「２４．６０ｍｍ≦Ｄ２＜２４．９０ｍｍ」の条件を満たすようにして、市販されているフイルムパトローネが再装填できないようにしてもよい。
【００５９】
図９は、本体筒の高さを１３５タイプのものよりも小さくした例示すものである。なお、以下に説明する他は最初の実施形態と同様であり、実質的に同じ部材には同一の符号を付してその説明を省略する。また、図９には、１３５タイプの本体筒の規格上の高さを有するパトローネ８１を示してある。
【００６０】
パトローネ本体６０を構成する本体筒６１は、その高さｈ１がパトローネ８１の本体筒の高さｈ２に比べてΔｈだけ小さくされている。従来の１３５タイプのフランジの厚み０．８ｍｍであるのに対し、この例における各フランジ６２は、その厚みｔ１が０．３ｍｍ以下とされている。このように各フランジ６２の厚みを小さくすることで、本体筒６１の高さの縮小化を可能とし、パトローネ８１と比べて１ｍｍ（＝Δｈ）だけ小さくしてある。
【００６１】
パトローネ装填室６３は、その高さＨ１が本体筒６１の高さｈ１と同じまたは僅かに大きくされ、パトローネ８１の本体筒の高さｈ２よりも小さくされている。これにより、本体筒の外径、高さが上記の本体筒６１とは異なるパトローネを再装填されることを防止できるとともに、パトローネ室の高さを小さくできる分、ユニット本体の小型化を図ることができる。
【００６２】
上記各実施形態では、底面方向にスライドさせてパトローネをパトローネ室から引き抜いて取り出すため、パトローネ本体の底部側よりも上部側のサイズを小さくしているが、パトローネ本体の上部側よりも底部側のサイズを小さくしてもよい。例えば、パトローネの軸心方向に沿って、パトローネをレンズ付きフイルムユニットの上方に向けて引き抜くように構成した場合には、上部外径を市販されている１３５タイプのパトローネのものと同じにし、この上部外径よりも底部外径を小さくしたパトローネを用い、これに対応してパトローネ室の底部内径を小さくすればよい。また、レンズ付きフイルムユニットの背面方向あるいは側面方向にパトローネを取り出すようにした場合には、パトローネ本体の上部外径を底部外径よりも小さくしてもよく、その逆に底部外径を上部外径よりも小さくしてもよい。もちろん、このように構成した場合には、それに対応させてパトローネ室の内径を決定する。
【００６３】
図１０は、パトローネ室の少なくとも一部の内径を、１３５タイプの端部外径の規格の最大値よりも小さくすることで、市販されているパトローネの再装填を防止する例を示すものである。なお、上記実施形態と実質的に同じ部材には同じ符号を付してその説明を省略する。また、図１０には、端部の外径が１３５タイプの規格の最大Ａｍａｘであるパトロ−ネ８２を示してある。
【００６４】
パトローネ室２４にはパトローネ７０が製造時に装填される。このパトローネ室２４は、１３５タイプのパトローネの端部外径の規格の最大値Ａｍａｘよりも小さい内径Ｄ４の部分がパトローネ室中央部２４ｃに形成されている。その他の部分の内径は、最大値Ａｍａｘとされているが、パトローネ７０が装填可能であれば最大値Ａｍａｘよりも大きくても小さくてもかまわない。
【００６５】
製造時に装填されるパトローネ７０としては、パトローネ本体７１の各端部７１ａ，７１ｂ及び中央筒部７１ｃは、いずれもその外径が内径Ｄ４以下のものが用いられる。なお、各端部７１ａ，７１ｂは、それらの外径が同じであってもかまわない。
【００６６】
このように、パトローネ室の内径Ｄ４を最大値Ａｍａｘよりも小さくすることで、規格に準拠したパトローネのうち内径Ｄ４よりも大きな外径を有するパトローネの再装填が阻止される。内径Ｄ４を小さくするほど、より多くの市販されているパトローネの装填を阻止することができ、再装填の防止効果を向上させることができるが、レンズ付きフイルムユニットの製造時に装填されるパトローネ７０の各端部７１ａ，７１ｂの外径も内径Ｄ４に応じて小さくする必要がある。そして、製造時に装填するパトローネ７０の外径を規格の範囲を超えて小さくすることは、そのパトローネ７０を現像装置に直接にセットできなくなる可能性が高くなる。
【００６７】
このため、パトローネ室の内径Ｄ４をパトローネの端部外径の規格範囲の最小値以上中央値以下、すなわち２４．１０ｍｍ〜２４．９０ｍｍの範囲内で決定するのが好ましく、パトローネ７０の端部外径を内径Ｄ４以下、パトローネの端部の規格範囲の最小値以上の範囲で決定するのが好ましい。また、中央筒部７１ｃの外径は、１３５タイプのパトローネの規格の範囲で各端部７１ａ，７１ｂの端部外径以下とするのがよい。また、実用上問題ない範囲の規格外で２４．６０ｍｍ〜２４．９０ｍｍの範囲内で決定するのも好ましい。
【００６８】
上記の例では、パトローネ室中央部２４ｃに最大値Ａｍａｘより小さい内径Ｄ４の部分を設けたが、最大値Ａｍａｘより小さい内径Ｄ４とする部分は、これに限らず、製造の容易さやパトローネの装填や取り出しの形態に応じて適宜に決めることができ、例えばパトローネ室２４の全体を最大値Ａｍａｘより小さい内径Ｄ４としてもよく、あるいはパトローネ室の上半分，下半分，パトローネ室底部２４ａ，パトローネ室上部２４ｂの部分だけを最大値Ａｍａｘより小さい内径Ｄ４としてもよく、複数箇所を最大値Ａｍａｘより小さい内径Ｄ４としてもよい。
【００６９】
上記に説明した各実施形態では、１３５タイプの規格としてＩＳＯ規格に基づいてパトローネ室の内径やパトローネの外径の数値を規定しているが、その他に１３５タイプの規格に基づいて数値を規定することが可能であることはいうまでもない。
【図面の簡単な説明】
【００７０】
【図１】本発明を実施したレンズ付きフイルムユニットの外観を示す斜視図である。
【図２】後カバーを分離した状態のユニット本体を示す分解斜視図である。
【図３】パトローネの外観を示す斜視図である。
【図４】パトローネの断面を示す断面図である。
【図５】パトローネとパトローネ室のサイズを示す説明図である。
【図６】絞り加工によって作製したパトローネの例を示すものである。
【図７】図６のパトローネのサイズを示す説明図である。
【図８】インサート成形によってパトローネ本体の端面を形成した例を示すものである。
【図９】パトローネ本体の高さを小さくした例を示すものである
【図１０】パトローネ室の一部の内径を１３５タイプの端部外径のその規格の最大値よりも小さくした例を示すものである。
【符号の説明】
【００７１】
２  ユニット本体
２０  写真フイルム
２１  パトローネ，７０
２４  パトローネ室
２６，４２，７１  パトローネ本体
２７，２８  蓋
２８，４３，５５  本体筒
４５，５６  端面
【図１】
2004240406.tif 000003
【図２】
2004240406.tif 000004
【図３】
2004240406.tif 000005
【図４】
2004240406.tif 000006
【図５】
2004240406.tif 000007
【図６】
2004240406.tif 000008
【図７】
2004240406.tif 000009
【図８】
2004240406.tif 000010
【図９】
2004240406.tif 000011
【図１０】
2004240406.tif 000012